(57)【要約】【課題】  透光体の発光面の面積がその受光面の面積よりも小さいＬＥＤ発光装置において、２つのＬＥＤ光源のうちのいずれの光源から出た光であっても、透光体の発光面に到達する光量が十分に確保されるようにする。【解決手段】  小面積の発光面２７を有する円柱部２３を備えた透光体２の受光面２２を、対称形状の２つの平坦な傾斜面２２ａ，２２ａを有する山形に形成することによって、２つのＬＥＤ光源５，６のそれぞれから出た光の光路を発光面２７側に指向させる。透光体２を形成している透光層に光乱反射作用を発揮するパウダーを混ぜて透光体２を乳白色にしたり、発光面２７に粗面処理を施しておいてもよい。【選択図】        図３
0003111700.tif 000002
【実用新案登録請求の範囲】
【請求項１】
発光色の異なる２つのＬＥＤ光源と、これらのＬＥＤ光源に対峙する受光面とその受光面の反対側面により形成されてその受光面よりも小面積の発光面とを備える透光体とを備え、２つの上記ＬＥＤ光源が、上記透光体の受光面の中央位置を挟む両側対称位置に振り分けて横並びに配備されていると共に、上記受光面の全体が平坦面によって形成されているＬＥＤ発光装置において、
上記透光体が乳白色の透光層によって形成されていると共に、その透光体は、裏面が上記受光面とされた幅広部の表面の幅方向中央部に、光を拡散させるための粗面処理の施された頂面が上記発光面として形成された柱部を一体に突出させてなり、かつ、その柱部と上記幅広部の表面とによって形成される入隅部に柱部と幅広部とに跨がる環状テーパ面を備えて、その環状テーパ面に光を反射する光学的性質が具備されていると共に、上記受光面がその中央位置を頂部としてその頂部の両側の形状が対称な平坦な傾斜面に変更されており、
受光素子に対峙してリモートコントローラの発光素子からの光を透過させる受光体が、上記透光体の側方でその透光体に追加して連設され、それらの透光体と受光体との相互間に、２つの上記ＬＥＤ光源及び上記透光体から拡散した光を遮蔽してその光が受光体に到達することを阻止する遮光片が配備される遮光片保持部が一体に備わり、その遮光片が、上記透光体の上記柱部が臨まされる表示窓と上記受光体が臨まされる受光窓とを備える機器キャビネットに一体に設けられていると共に、嵌合孔を有する上記遮光片保持部の上記嵌合孔にその遮光片を嵌合させることによって、上記透光体の上記柱部と上記受光体とが各別の上記表示窓と上記受光窓とに臨むようになっており、
上記機器キャビネットと２つの上記ＬＥＤ光源と上記受光素子とが実装された配線基板との間に介在されて上記透光体の受光面と２つの上記ＬＥＤ光源との対向間隔とを定めるスペーサが、上記透光体に追加して連設されていることを特徴とするＬＥＤ発光装置。
【請求項２】
発光色の異なる２つのＬＥＤ光源と、これらのＬＥＤ光源に対峙する受光面とその受光面の反対側面により形成されてその受光面よりも小面積の発光面とを備える透光体とを備え、２つの上記ＬＥＤ光源が、上記透光体の受光面の中央位置を挟む両側対称位置に振り分けて横並びに配備されていると共に、上記受光面の全体が平坦面によって形成されているＬＥＤ発光装置において、
上記透光体の受光面を、２つの上記ＬＥＤ光源のそれぞれから出た光の光路を上記発光面側に指向させる光学的性質を備えた傾斜面に変更したことを特徴とするＬＥＤ発光装置。
【請求項３】
上記受光面が、その中央位置を頂部としてその中央位置から離れるほど上記発光面との垂直間隔が狭まる山形に形成されている請求項２に記載したＬＥＤ発光装置。
【請求項４】
上記受光面は、その中央位置を挟んでその両側の形状が対称に形成されていると共に、上記発光面が当該透光体の厚さ方向で上記頂部の反対側に位置している請求項２又は請求項３に記載したＬＥＤ発光装置。
【請求項５】
山形の上記受光面の頂部の両側の傾斜面が平坦面でなる請求項３又は請求項４に記載したＬＥＤ発光装置。
【請求項６】
上記透光体は、裏面が上記受光面とされた幅広部の表面に、頂面が上記発光面とされた柱部を一体に突出させてなる請求項３ないし請求項５のいずれか１項に記載したＬＥＤ発光装置。
【請求項７】
上記柱部と上記幅広部の表面とによって形成される入隅部に、柱部と幅広部とに跨がる環状テーパ面が形成されていて、その環状テーパ面に光を反射する光学的性質を具備させてある請求項６に記載したＬＥＤ発光装置。
【請求項８】
上記透光体を形成している透光層にその透光体に乳白色を付与するためのパウダーが含まれている請求項２ないし請求項７のいずか１項に記載したＬＥＤ発光装置。
【請求項９】
上記発光面に光を拡散させるための粗面処理が施されている請求項２ないし請求項８のいずれか１項に記載したＬＥＤ発光装置。
【請求項１０】
受光素子に対峙してリモートコントローラの発光素子からの光を透過させる受光体が、上記透光体の側方でその透光体に追加して連設されていると共に、それらの透光体と受光体との相互間に、２つの上記ＬＥＤ光源及び上記透光体から拡散した光を遮蔽してその光が受光体に到達することを阻止する遮光片が配備される遮光片保持部が一体に備わっている請求項２ないし請求項９のいずれか１項に記載したＬＥＤ発光装置。
【請求項１１】
上記遮光片が、上記透光体の上記柱部が臨まされる表示窓と上記受光体が臨まされる受光窓とを備える機器キャビネットに一体に設けられていると共に、嵌合孔を有する上記遮光片保持部の上記嵌合孔にその遮光片を嵌合させることによって、上記透光体の上記柱部と上記受光体とが各別の上記表示窓と上記受光窓とに臨むようになっている請求項１０に記載したＬＥＤ発光装置。
【考案の詳細な説明】
【技術分野】
【０００１】
本考案は、ＬＥＤ発光装置、特に、発光色の異なる２つのＬＥＤ光源を使い分けて異なる発光色を表示させることに用いられるＬＥＤ発光装置に関する。
【背景技術】
【０００２】
ＤＶＤやその他の各種電気電子機器のモード表示ランプなどに用いられるＬＥＤ発光装置には、キャビネットの表示窓に透光体を配備し、その透光体の背部に、配線基板に搭載したＬＥＤ光源を臨ませるという構成を採用したものがある。
【０００３】
図５及び図６はそのようなＬＥＤ発光装置を例示した説明図であり、これらに示されたＬＥＤ発光装置では、透光体２の平坦な受光面２２の背部に、配線基板３に搭載したＬＥＤ光源を配備してある。
【０００４】
そして、図５のＬＥＤ発光装置では、所謂２色ＬＥＤと呼ばれる単一のＬＥＤ光源４が用いられている。このＬＥＤ発光装置において、ＬＥＤ光源４が、たとえば赤と青の２色を選択的に発光させることができる性能を備えていると、発光面２１は、赤色発光時には赤色に発光し、青色発光時には青色に発光する。したがって、このものによると、１つのＬＥＤ光源４で選択的な２色発光表示が可能である。
【０００５】
これに対し、図６は単色発光のＬＥＤ光源を用いたＬＥＤ発光装置を例示したものであり、このＬＥＤ発光装置では、発光色の異なる２つのＬＥＤ光源５，６が用いられていて、それらのＬＥＤ光源５，６が、透光体２の受光面２２の中央位置を挟む両側対称位置に振り分けて横並びに配備されている（横並び間隔を符号Ｌで示してある）。このＬＥＤ発光装置において、たとえば、一方側のＬＥＤ光源５が赤色に発光し、他方側のＬＥＤ光源６が青色に発光するものであるとした場合、発光面２１は、一方側のＬＥＤ光源５の発光時に赤色に発光し、他方側のＬＥＤ光源６の発光時に青色に発光する。したがって、このものによっても、２つのＬＥＤ光源５，６の発光タイミングを異ならせることによって２色発光表示が可能である。
【０００６】
一方、従来より、ＬＥＤ光源に２色ＬＥＤを用いて異なる発光色を表示させることや、単色発光の複数のＬＥＤ光源を用いて異なる発光色を表示させることが知られ（たとえば、特許文献１参照）、さらには、この特許文献１によって、キャビネットの表示窓に、アクリル樹脂やポリスチロール樹脂などの透明樹脂材料でなる透光体を取り付けてその発光面でＬＥＤ光源から出た光を発光表示させることなども示唆されている。
【０００７】
また、ガス漏れ警報機の分野では、筐体内に配備した赤色ＬＥＤと青色ＬＥＤとに半透明のポリカーボネート板（ＰＣ板）を対峙させると共に、そのＰＣ板の青色ＬＥＤとの対向面を傾斜面にすることによって、その青色ＬＥＤから出た光に光学的な光路指向性を持たせるということが知られている（たとえば、特許文献２参照）。
【特許文献１】特開平９−１２０２６４号公報
【特許文献２】特開２００５−１８１７４号公報（図８）
【考案の開示】
【考案が解決しようとする課題】
【０００８】
図５を参照して説明したＬＥＤ発光装置のように、２色ＬＥＤと呼ばれる単一のＬＥＤ光源４を用いて選択的な２色発光表示を行うことは、そのＬＥＤ光源４が高価であるためにコスト高になる。これに対し、図６で説明したＬＥＤ発光装置のように、発光色の異なる２つのＬＥＤ光源５，６を用いて選択的な２色発光表示を行うと、個々のＬＥＤ光源５，６が上記の２色ＬＥＤに比べて安価であるためにコスト高につながりにくいという利点がある。
【０００９】
しかしながら、図６で説明したＬＥＤ発光装置には、次の問題点が知見された。すなわち、透光体２の発光面２１の面積をその受光面２２の面積よりも小さくして発光面２１を受光面２２の中央位置に対応するように位置させてある場合、２つのＬＥＤ光源５，６を、受光面２２の中央位置を挟む両側対称位置に振り分けて接近して配備し、併せて、それらのＬＥＤ光源５，６に平坦な受光面２２の全体を垂直方向で対峙させた状態では、発光面２１の面積が小さくても、発光面２１に到達するそれぞれのＬＥＤ光源５，６の光の光量を十分に確保することができるということが確認されているけれども、２つのＬＥＤ光源５，６の横並び間隔Ｌを拡げて配備する必要がある場合には、発光面２１の面積が小さいと、その発光面２１に到達するそれぞれのＬＥＤ光源５，６の光の光量を十分に確保することができないということが知見された。この点を図７（Ａ）の説明図を参照して次に説明する。
【００１０】
図７（Ａ）では、透光体２が図６に示したそれと同一の大きさ及び形状を備えているのに対し、２つのＬＥＤ光源５，６の横並び間隔Ｌが、図６のそれよりも拡がっている。この状況下では、一方側又は他方側のＬＥＤ光源５，６の光の光量が図６の場合と同一であるとしても、透光体２の受光面２２を透過しない光量の割合が多くなるために、発光面２１に到達する光量が不足して満足のいく表示作用が得られない。そこで、図７（Ｂ）の説明図に示したように、透光体２の受光面２２の面積と発光面２１の面積とを共に拡げるという対策を講じた上で、平坦な受光面２２を２つのＬＥＤ光源５，６に垂直方向で対峙させることが考えられる。このようにすると、面積の広い発光面２１で十分な光量が確保されることにはなる。
【００１１】
ところが、透光体２の発光面２１の面積を大きくするためには、その発光面２１が臨むキャビネット１の表示窓１２をそれに見合う大きさに拡げることを要する一方で、機器の種類によっては、発光面２１で十分な光量を確保することができるほどには表示窓１２を大きくすることができないことも多々ある。
【００１２】
この点に関し、上掲の特許文献２によって示されているものは、ＰＣ板の表面によって形成されている発光面の面積が、受光面の面積と同等かそれに近い程度に十分に大きく確保されているという点で、図７（Ｂ）を参照して説明したものとは相違している。その上、この特許文献２のものでは、ＰＣ板の青色ＬＥＤとの対向面を傾斜面にすることによって、赤色ＬＥＤと青色ＬＥＤの２つのＬＥＤのうちの青色ＬＥＤから出た光だけに光学的な光路指向性を持たせるという対策を講じているに過ぎないので、図７（Ｂ）のように２つのＬＥＤ光源５，６のいずれから出た光であっても、透光体２の面積の小さな発光面２１に到達する光量を十分に確保したいという要求に対処し得るものではない。
【００１３】
本考案は以上の状況に鑑みてなされたものであり、発光色の異なる２つのＬＥＤ光源を用い、しかも、透光体の発光面の面積がその受光面の面積よりも小さいＬＥＤ発光装置において、受光面の形状に工夫を講じることによって、２つのＬＥＤ光源のうちのいずれの光源から出た光であっても、透光体の発光面に到達する光量が十分に確保されて満足のいく表示作用の得られるＬＥＤ発光装置を提供することを目的とする。
【００１４】
また、本考案は、透光体の受光面の形状をできるだけ単純な形状にすることによって、その成形性を損なうことのないＬＥＤ発光装置を提供することを目的とする。
【００１５】
さらに、本考案は、透光体の光線透過率が高まって発光面に到達する光量を可及的多くなるＬＥＤ発光装置を提供することを目的とする。
【００１６】
さらに、本考案は、発光面の全体を一様な明るさで発光させることのできるＬＥＤ発光装置を提供することを目的とする。
【００１７】
さらに、本考案は、発光面の発光を視認し得る範囲を広く確保することの可能なＬＥＤ発光装置を提供することを目的とする。
【００１８】
さらに、本考案は、リモートコントローラの発光素子からの光を透過させる受光体を付設した場合であっても、透光体からの漏洩光で上記発光素子の相手方部品である受光素子が印加されることのないＬＥＤ発光装置を提供することを目的とする。
【００１９】
さらに、本考案は、透光体の受光面と２つのＬＥＤ光源との対向間隔が容易にかつ正確に定まるＬＥＤ発光装置を提供することを目的とする。
【課題を解決するための手段】
【００２０】
本考案に係るＬＥＤ発光装置は、発光色の異なる２つのＬＥＤ光源と、これらのＬＥＤ光源に対峙する受光面とその受光面の反対側面により形成されてその受光面よりも小面積の発光面とを備える透光体とを備え、２つの上記ＬＥＤ光源が、上記透光体の受光面の中央位置を挟む両側対称位置に振り分けて横並びに配備されていると共に、上記受光面の全体が平坦面によって形成されている。そして、上記透光体の受光面を、２つの上記ＬＥＤ光源のそれぞれから出た光の光路を上記発光面側に指向させる光学的性質を備えた傾斜面に変更してある。
【００２１】
この構成であれば、２つのＬＥＤ光源のいずれから出た光も、透光体の受光面でその光が屈折してその光路が発光面側に指向するので、発光面に到達する光量が増大する。
【００２２】
本考案では、上記受光面が、その中央位置を頂部としてその中央位置から離れるほど上記発光面との垂直間隔が狭まる山形に形成されているという構成を採用することが可能であり、その場合に、上記受光面は、その中央位置を挟んでその両側の形状が対称に形成されていると共に、上記発光面が当該透光体の厚さ方向で上記頂部の反対側に位置していることが望ましい。これによれば、発光面に到達する光量が、２つのＬＥＤ光源のいずれから出た光についても一様になる。
【００２３】
本考案では、山形の上記受光面の頂部の両側の傾斜面が平坦面でなる、という構成を採用することによって、透光体の受光面の形状が可及的単純な形状になってその成形性が損なわれないという利点がある。
【００２４】
本考案において、上記透光体は、裏面が上記受光面とされた幅広部の表面に、頂面が上記発光面とされた柱部を一体に突出させてなることが望ましく、また、上記柱部と上記幅広部の表面とによって形成される入隅部に、柱部と幅広部とに跨がる環状テーパ面が形成されていて、その環状テーパ面に光を反射する光学的性質を具備させてあることが望ましい。これによれば、受光面を透過して透光体を通過する光線が、上記柱部の外周面や環状テーパ面で反射して発光面に向くように指向される。そのため、透光体の光線透過率が高まって発光面に到達する光量が可及的多くなる。
【００２５】
本考案では、上記透光体を形成している透光層にその透光体に乳白色を付与するためのパウダーが含まれていることが望ましい。これによれば、透光層を通過する光線がパウダーにより透光層内で乱反射して乳白色を呈するようになると共に、パウダーの光乱反射作用によって発光面の全体が一様な明るさで発光するようになる。
【００２６】
本考案では、上記発光面に光を拡散させるための粗面処理が施されていることが望ましく、これによれば、粗面処理された発光面から光が広範囲に拡散して発光面の発光を視認し得る範囲が広くなる。
【００２７】
本考案では、受光素子に対峙してリモートコントローラの発光素子からの光を透過させる受光体が、上記透光体の側方でその透光体に追加して連設されていると共に、それらの透光体と受光体との相互間に、２つの上記ＬＥＤ光源及び上記透光体から拡散した光を遮蔽してその光が受光体に到達することを阻止する遮光片が配備される遮光片保持部が一体に備わっている、という構成を採用することが可能である。これによれば、キャビネットの狭い範囲に透光体と受光体を配備することができるという利点が発揮されるほか、受光体の側方に透光体が位置しているにもかかわらず、ＬＥＤ光源及び透光体から拡散した光が遮光片により遮蔽されるために、その拡散光がリモートコントローラによる制御に悪影響を及ぼすことがなくなる。
【００２８】
本考案では、上記遮光片が、上記透光体の上記柱部が臨まされる表示窓と上記受光体が臨まされる受光窓とを備える機器キャビネットに一体に設けられていると共に、嵌合孔を有する上記遮光片保持部の上記嵌合孔にその遮光片を嵌合させることによって、上記透光体の上記柱部と上記受光体とが各別の上記表示窓と上記受光窓とに臨むようになっていることが望ましい。これによれば、遮光片保持部の嵌合孔に遮光片を嵌合させるだけで、透光体の柱部と受光体とが各別の表示窓と受光窓とに臨むために当該ＬＥＤ発光装置のキャビネットへの取付けを容易に行うことができる。
【００２９】
本考案に係るＬＥＤ発光装置は、発光色の異なる２つのＬＥＤ光源と、これらのＬＥＤ光源に対峙する受光面とその受光面の反対側面により形成されてその受光面よりも小面積の発光面とを備える透光体とを備え、２つの上記ＬＥＤ光源が、上記透光体の受光面の中央位置を挟む両側対称位置に振り分けて横並びに配備されていると共に、上記受光面の全体が平坦面によって形成されているＬＥＤ発光装置において、上記透光体が乳白色の透光層によって形成されていると共に、その透光体は、裏面が上記受光面とされた幅広部の表面の幅方向中央部に、光を拡散させるための粗面処理の施された頂面が上記発光面として形成された柱部を一体に突出させてなり、かつ、その柱部と上記幅広部の表面とによって形成される入隅部に柱部と幅広部とに跨がる環状テーパ面を備えて、その環状テーパ面に光を反射する光学的性質が具備されていると共に、上記受光面がその中央位置を頂部としてその頂部の両側の形状が対称な平坦な傾斜面に変更されており、受光素子に対峙してリモートコントローラの発光素子からの光を透過させる受光体が、上記透光体の側方でその透光体に追加して連設され、それらの透光体と受光体との相互間に、２つの上記ＬＥＤ光源及び上記透光体から拡散した光を遮蔽してその光が受光体に到達することを阻止する遮光片が配備される遮光片保持部が一体に備わり、その遮光片が、上記透光体の上記柱部が臨まされる表示窓と上記受光体が臨まされる受光窓とを備える機器キャビネットに一体に設けられていると共に、嵌合孔を有する上記遮光片保持部の上記嵌合孔にその遮光片を嵌合させることによって、上記透光体の上記柱部と上記受光体とが各別の上記表示窓と上記受光窓とに臨むようになっており、上記機器キャビネットと２つの上記ＬＥＤ光源と上記受光素子とが実装された配線基板との間に介在されて上記透光体の受光面と２つの上記ＬＥＤ光源との対向間隔とを定めるスペーサが、上記透光体に追加して連設されている、という構成を採用することによっていっそう具体化される。そして、特にこの考案によれば、機器キャビネットと２つのＬＥＤ光源と受光素子とが実装された配線基板との間に介在されて透光体の受光面と２つの上記ＬＥＤ光源との対向間隔とを定めるスペーサをそなえているという構成によって、透光体の受光面と２つのＬＥＤ光源との対向間隔が容易にかつ正確に定まるという作用が発揮される。
【考案の効果】
【００３０】
以上のように、本考案によれば、発光色の異なる２つのＬＥＤ光源を用い、透光体の発光面の面積がその受光面の面積よりも小さいＬＥＤ発光装置であっても、受光面の特徴的な形状によって、２つのＬＥＤ光源のうちのいずれの光源から出た光であっても、透光体の発光面に到達する光量が十分に確保されて満足のいく表示作用が得られるようになる。したがって、ユーザにとっては表示を容易に視認することができるようになって電気電子機器の使い勝手が向上する。その上、透光体の受光面の形状が山形などの単純な形状になっているので、その成形性が損なわれず、図５や図６を参照して説明したものと遜色のない量産性が保たれるようになる。
【００３１】
また、特に、リモートコントローラの発光素子からの光を透過させる受光体を付設した場合であっても、透光体からの漏洩光で上記発光素子の相手方部品である受光素子が印加されるという事態が起こらないので、キャビネットの狭いスペースに表示窓と受光窓をまとめて設置することができるにもかかわらず、リモートコントローラによる制御が正確に行われるという利点がある。さらに、透光体の受光面と２つのＬＥＤ光源との対向間隔が容易にかつ正確に定まるように構成することも可能であるので、発光面に到達する光量にばらつきの少ないＬＥＤ発光装置を提供することが可能になる。
【考案を実施するための最良の形態】
【００３２】
図１は本考案の実施形態に係るＬＥＤ発光装置の使用状態を示した縦断面図、図２はＬＥＤ発光装置の概略斜視図である。また、図３は透光体２を断面で表した説明図、図４は透光体２の変形例を示した断面図である。
【００３３】
図１に示した樹脂成形体でなるキャビネット１には相隣接する２箇所に円形の表示窓１２と同じく円形の受光窓１３とが備わっていると共に、それらの表示窓１２と受光窓１３との間には、キャビネット１の内部に向けて突設された板片状の遮光片１４がキャビネット１と一体に成形されている。
【００３４】
図２のように、ＬＥＤ発光装置Ａは、支持片部７１の横幅方向中央部に、嵌合孔７３を形成している角筒状の遮光片保持部７２を有し、その遮光片保持部７２を挟む両側に振り分けて透光体２の円柱部２３と円柱状の受光体８１とが同一方向に一体に突設されている。また、支持片部７１の縦幅方向両側に板片状のスペーサ７５，７５が直角に連設されていて、それらのスペーサ７５，７５の端面の２箇所に位置決め用の突起７６…が一体に具備されている。
【００３５】
このＬＥＤ発光装置Ａは、図１のように、発光色の異なる２つのＬＥＤ光源５，６と、受光素子９とが横並びに搭載されている配線基板３に仮止め状態に取り付けられた後、その配線基板３と共にキャビネット１に組み付けられる。すなわち、図１のように、板片状の上記スペーサ７５，７５の突起７６…を配線基板３の位置決め孔３１に嵌め込むことによって配線基板３に仮止めされ、その仮止め状態では、支持片部７１とスペーサ７５，７５とが門形を形作って配線基板３上に配備され、その内側に２つのＬＥＤ光源５，６と受光素子９とが収容された状態になる。こうして配線基板３に仮止めされたＬＥＤ発光装置Ａは、図１のように、その嵌合孔７２に遮光片１４を差し込むことによってキャビネット１に取り付けられると共に、そのような取付け工程を経ることによって、同図のように、透光体２の円柱部２３と受光体８１とがキャビネット１の表示窓１２と受光窓８１に個別に嵌め合わされると共に、２つのＬＥＤ光源５，６が透光体２に対向し、併せて、受光素子９が受光体８１に対向する。なお、図例の遮光片１４は、その両面にリブ１５を備えていて、それらのリブ１５が上記嵌合孔７３にがたつきなく嵌合されている。
【００３６】
以上説明したＬＥＤ発光装置Ａにおいて、透光体２の他、支持片部７１、スペーサ７５，７５及び受光体８１は樹脂の一体成形体であって透光性を有している。また、遮光片１４はキャビネット１と一体に透光性を有しない樹脂で成形されていて、それ自体が遮光性を有している。そのため、たとえば、一方側のＬＥＤ光源５が赤色に発光し、他方側のＬＥＤ光源６が青色に発光するものであるとすると、透光体２の円柱部２３の頂面によって形成されている発光面２１は、一方側のＬＥＤ光源５の発光時に赤色に発光し、他方側のＬＥＤ光源６の発光時に青色に発光する。したがって、このものによると、２つのＬＥＤ光源５，６の発光タイミングを異ならせることによって２色発光表示が可能である。また、図示していないリモートコントローラの発光素子からの光が受光体８１を透過して受光素子９に印加される。しかも、キャビネット１の狭い範囲に透光体２と受光体８１とが横並びに配備されて受光体８１の側方に透光体２が位置しているにもかかわらず、ＬＥＤ光源５，６及び透光体２から拡散した光が遮光片１４により遮蔽されるために、その拡散光がリモートコントローラによる制御に悪影響を及ぼすことはない。
【００３７】
次に、透光体２を断面図で説明的に示した図３を参照して透光体２の詳細な構成及び作用を説明する。
【００３８】
同図のように、透光体２は、幅広部２５の裏面が横長の受光面２２に形成されていると共に、その受光面２２が、その横幅方向の中央位置を頂部２６としてその頂部２６の両側に対称形状の平坦な傾斜面２２ａ，２２ｂを有する山形に形成されている。そして、２つのＬＥＤ光源５，６が、受光面２２の頂部２６を挟む両側対称位置に振り分けて横並びに配備されている。また、透光体２の横幅方向中央位置に設けられている円柱部２３の頂面によって形成されている発光面２７の面積は、受光面２２の面積よりも小さい。この透光体２では、円柱部２３の頂面によって発光面２７が形成されているために、上記のように山形に形成されている受光面２２は、頂部２６が位置する横幅方向の中央位置から離れるほど上記発光面２７との垂直間隔が狭まっている。また、円柱部２３が透光体２の横幅方向中央位置に設けられていることにより、その円柱部２３の頂面によって形成されている発光面２７は、当該透光体２の厚さ方向で上記頂部２６の反対側に位置していることになる。
【００３９】
図１又は図２を参照して説明したＬＥＤ発光装置Ａは、その透光体２が図３を参照して説明した構成を有していることにより、２つのＬＥＤ光源５，６のいずれから出た光も、透光体２の受光面２２でその受光面２２に付与された光学的性質に従って屈折するために、その光路が発光面２７側に指向するようになって発光面２７に到達する光量が増大する。すなわち、受光面２２は、一方側のＬＥＤ光源５に対峙している部分が平坦な傾斜面２２ａに形成されているので、そのＬＥＤ光源５の光が傾斜面２２ａを通過するときに屈折して矢印ａのように発光面２７に向く光路を進んで発光面２７に到達する。同様に、受光面２２は、他方側のＬＥＤ光源６に対峙している部分が平坦な傾斜面２２ｂに形成されているので、そのＬＥＤ光源６の光が傾斜面２２ｂを通過するときに屈折して矢印ｂ１のように発光面２７に向く光路を進んで発光面２７に到達する。したがって、たとえば一方側のＬＥＤ光源５が赤色に発光し、他方側のＬＥＤ光源６が青色に発光するものであって、それらのＬＥＤ光源５，６の横並び間隔を広く定めてある場合であっても、一方側のＬＥＤ光源５が発光したときには、発光面２７が十分な光量で赤色に発光し、他方側のＬＥＤ光源６が発光したときには、発光面２７が十分な光量で青色に発光する。しかも、発光面２７が透光体２の厚さ方向で受光面２２の頂部２６の反対側に位置しているので、発光面２７に到達する光量が、２つのＬＥＤ光源のいずれから出た光についても一様になり、赤色発光する場合も青色発光する場合もその明るさが同程度になるので、ユーザが明るさにむらを感じて違和感を生じるという事態が起こりにくくなる。
【００４０】
また、山形の受光面２２の頂部２６の両側の傾斜面２２ａ，２２ｂを平坦面にしたことにより、受光面２２の形状が可及的単純な形状になってその成形を容易に行うことができるという利点もある。
【００４１】
図４に示したように、透光体２の円柱部２３と幅広部２５の表面とによって形成される入隅部に、円柱部２３と幅広部２５とに跨がる環状テーパ面２８を形成しておくと、その環状テーパ面２８が光を反射する光学的性質を発揮し、併せて、円柱部２３の外周面も光を反射する光学的性質を発揮するので、受光面２２を透過して透光体２を通過する光線が、円柱部２３の外周面や環状テーパ面２８で反射して発光面２７に向くように指向されるようになり、このことによって透光体２の光線透過率が高まって発光面２７に到達する光量が可及的多くなるという利点がある。
【００４２】
さらに、上記透光体２において、その透光体２を形成している透光層に所要量のパウダーを一様に分散させた状態で含ませておくと、透光層を通過する光線がパウダーにより透光層内で乱反射して透光体２が乳白色を呈するようになり、パウダーの光乱反射作用によって発光面２７の全体が一様な明るさで発光するようになる。また、発光面２７に光を拡散させるための粗面処理、たとえばエンボス加工やブラスト加工によってその発光面２７を梨子地状態にしておくことも可能であり、そのようにしておくことにより、粗面処理された発光面２７から光が広範囲に拡散して発光面２７の発光を視認し得る範囲が広くなるという利点がある。
【００４３】
さらに、上記実施形態では、図１のように、キャビネット１と配線基板３との間に当該ＬＥＤ発光装置Ａのスペーサ７５が介在されているので、透光体２の受光面２２と２つのＬＥＤ光源５，６との対向間隔が一定に定まる。そのため、透光体２の受光面２２と２つのＬＥＤ光源５，６との開口間隔にばらつきが生じて発光面２７の明るさがばらつくという状況が生じにくくなるという卓越した作用が発揮される。
【図面の簡単な説明】
【００４４】
【図１】本考案の実施形態に係るＬＥＤ発光装置の使用状態を示した縦断面図である。
【図２】ＬＥＤ発光装置の概略斜視図である。
【図３】透光体を断面で表した説明図である。
【図４】透光体の変形例を示した断面図である。
【図５】２色ＬＥＤを用いたＬＥＤ発光装置を例示した説明図である。
【図６】受光面の全体が平坦面でなる透光体を備えたＬＥＤ発光装置を例示した説明図である。
【図７】（Ａ）は２つのＬＥＤ光源の横並び間隔を拡げた場合の問題点を説明するための説明図、（Ｂ）はその問題点を解消するための対策を講じたＬＥＤ発光装置を例示した説明図である。
【符号の説明】
【００４５】
１  キャビネット（機器キャビネット）
２  透光体
５，６  ＬＥＤ光源
１２  表示窓
１３  受光窓
１４  遮光片
２２  受光面
２２ａ，２２ｂ  傾斜面
２３  透光体の円柱部（柱部）
２５  透光体の幅広部
２７  発光面
２６  受光面の頂部
２８  環状テーパ面
７２  遮光片保持部
７３  遮光片保持部の嵌合孔
７５  スペーサ
８１  受光体
【図１】
0003111700.tif 000003
【図２】
0003111700.tif 000004
【図３】
0003111700.tif 000005
【図４】
0003111700.tif 000006
【図５】
0003111700.tif 000007
【図６】
0003111700.tif 000008
【図７】
0003111700.tif 000009